(57)【特許請求の範囲】
【請求項１】
透光性の部材からなり回転中心の指針基部と、この指針基部から突出した指示部とから構成される指針本体と、指針基部を覆い前記指示部が露出する指示部露出部を備えたキャップとを備えた発光指針において、前記指示部の側面を下方に向かって前記指示部の幅が狭まるように形成するとともに、前記指示部の側面に対応し当接もしくは近接する左右の側辺を前記キャップの周壁に設けた指示部露出部に形成したことを特徴とする発光指針。
【請求項２】
透光性の部材からなり回転中心の指針基部と、この指針基部から突出した指示部とから構成される指針本体と、指針基部を覆い前記指示部が露出する指示部露出部を備えたキャップとを備えた発光指針において、前記指示部の側面を下方に向かって前記指示部の幅が狭まるように形成し、前記指示部の側面に対応し当接もしくは近接する左右の側辺を前記キャップの周壁に設けた指示部露出部に形成し、前記指示部の側面を前記指示部露出部の側辺で保持するとともに、前記指針基部には第１の係止部を形成し、前記キャップには前記第１の係止部に係止する第２の係止部を形成し、前記第１の係止部に第２の係止部を係止することにより、前記キャップを前記指針本体に取り付け固定することを特徴とする発光指針。
【発明の詳細な説明】
【０００１】
【発明の属する技術分野】
本発明は、車両その他各種産業機器用計器に係り、特に、前記計器に採用するのに適した発光指針に関する。
【０００２】
【従来の技術】
従来、この種の発光指針としては、指針に係合爪を設けるとともにキャップに係合部を設け、前記係合爪と係合部とを係合固定させることにより熱加締めや接着をする必要なく、組み付け作業も容易な発光指針があり、例えば、実開昭５９−１３１０１４号公報に示されている。
【０００３】
【発明が解決しようとする課題】
従来の発光指針にあっては、キャップの指示部の対応位置には、キャップの開口側に連続し、指示部を係止する係止部を有した略コ字状に切り欠いた凹部を有し、指示部と凹部の係止部を係合させる場合は、振動によって指針本体とキャップとがガタつかないように、指示部の縦方向の寸法と凹部の係止部の寸法との寸法精度を厳しく管理する必要があったので、生産性が上昇しにくいという課題があり、更なる改良が望まれていた。このため、本発明は、指示部や凹部の係止部の寸法精度を高めなくとも、がたつかない発光指針を提供することを目的とする。
【０００４】
【課題を解決するための手段】
本発明は前記目的を達成するため、透光性の部材からなり回転中心の指針基部と、この指針基部から突出した指示部とから構成される指針本体と、指針基部を覆い前記指示部が露出する指示部露出部を備えたキャップとを備えた発光指針において、前記指示部の側面を下方に向かって前記指示部の幅が狭まるように形成するとともに、前記指示部の側面に対応し当接もしくは近接する左右の側辺を前記キャップの周壁に設けた指示部露出部に形成したものである。
【０００５】
また、透光性の部材からなり回転中心の指針基部と、この指針基部から突出した指示部とから構成される指針本体と、指針基部を覆い前記指示部が露出する指示部露出部を備えたキャップとを備えた発光指針において、前記指示部の側面を下方に向かって前記指示部の幅が狭まるように形成し、前記指示部の側面に対応し当接もしくは近接する左右の側辺を前記キャップの周壁に設けた指示部露出部に形成し、前記指示部の側面を前記指示部露出部の側辺で保持するとともに、前記指針基部には第１の係止部を形成し、前記キャップには前記第１の係止部に係止する第２の係止部を形成し、前記第１の係止部に第２の係止部を係止することにより、前記キャップを前記指針本体に取り付け固定するものである。
【０００６】
【発明の実施の形態】
本発明の発光指針では、指示部の側面を下方に向かって指示部の幅が狭まるように形成するとともに、指示部の側面に対応し当接もしくは近接する左右の側辺をキャップの周壁に設けた指示部露出部に形成している。このため、キャップの指示部露出部の側辺に指示部の側面が当接し、指示部露出部の側辺間に指示部がはまり込み、指示部とキャップのがたつきを防止することができる。また、指示部と指示部露出部とが当接することにより、指示部と指示部露出部との間からの光漏れを防止することができる。
【０００７】
また、指示部の側面を下方に向かって指示部の幅が狭まるように形成し、指示部の側面に対応し当接もしくは近接する左右の側辺をキャップの周壁に設けた指示部露出部に形成し、指示部の側面を指示部露出部の側辺で保持するとともに、指針基部には第１の係止部を形成し、キャップには第１の係止部に係止する第２の係止部を形成し、第１の係止部に第２の係止部を係止することにより、キャップを指針本体に取り付け固定している。このため、キャップと指針本体との組付けが容易な発光指針を提供することができる。また、キャップの指示部露出部の側辺に指示部の側面が当接し、指示部露出部の側辺間に指示部がはまり込み、指示部とキャップのがたつきを防止することができる。また、指示部と指示部露出部とが当接することにより、指示部と指示部露出部との間からの光漏れを防止することができる。
【０００８】
【実施例】
以下、図１から図３を用いて本発明の第１実施例を説明する。
【０００９】
図１は、車両用計器に本発明が適用された例を示している。この計器は、計器本体１を備えており、この計器本体１は、その両側に位置する両ランプ２、２と共に回路基板３上に配設されている。
【００１０】
導光板４は、その中央孔部５にて、計器本体１上に固定されており、この導光板４は、両ランプ２に対向する位置まで下方に向け突出している光導入部６を備えている。これにより、導光板４は、両ランプ２からの光を光導入部６から中央孔部５にかけて導入し、この中央孔部５周壁に形成した傾斜状反射面７にて、導入光を文字板８の中央孔部９を通し上方に向け反射する。
【００１１】
発光指針１０は、文字板８及び導光板４を介し、計器本体１からのびている指針軸１１に組み付けられているもので、この発光指針１０は、透光性の部材からなる指針本体１２と、キャップ１３とにより構成されている。指針本体１２は、回動中心である指針基部１４から突出する指示部１５とを有しており、この指針本体１２は、アクリル樹脂やポリカーボネート樹脂等の無色透明若しくは半透明の透光性の材料により形成されている。
【００１２】
指針基部１４は、そのボス部１６にて、導光板４の中央孔部５を通し、計器本体１の指針軸１１に軸支されている。この指針基部１４は、反射面１７を備えており、この反射面１７は、指針基部１４内に導光板４から入射した光を、指示部１５の端及びその下側に向けて反射するように、指針基部１４に傾斜して形成されている。
【００１３】
また、指示部１５の下面１８は、ホットスタンプ等によりオレンジ色に着色した層で被覆されている。指示部１５は、その断面形状が台形状であり、図２中、下方にいくに従い指示部１５の幅が狭まるように形成されている。指示部１５の側面１９は湾曲せずに平面である。なお、指示部１５の上面２０は緩やかに湾曲している。
【００１４】
キャップ１３は、指針本体１２の指針基部１４に組み付けられているもので、このキャップ１３は、指針本体１２の指針基部１４を上方から覆う形状にて、ＡＢＳなどの合成樹脂材料により形成されている。
【００１５】
このキャップ１３の周壁には、指示部露出部２１が、指示部１５に対応する位置にて下方から切り欠き形成されており、この切り欠き形成された指示部露出部２１の前記指示部１５の側面１９に対応する左右の側辺２２は、指示部１５の側面１９に当接する。指示部１５の側面１９が平面であるので、側辺２２も直線状に形成されている。なお、側辺２２下側の側面１９に当接しない側辺２２ａ部分は、さらに、内側に向いて傾斜している。指示部露出部２１の側辺２２間には、指示部１５の側面１９が略合致する。また、指示部１５やキャップ１３の公差により側辺２２間で指示部１５を挟んで支持できなかった場合は、内側に絞り込まれた側辺２２ａ間で指示部１５の下面１８を支持することができる。よって、指示部１５の側面１９と、キャップ１３の指示部露出部２１との間には、隙間を略なくすことができ、あるいは間隙を小さくでき、指示部１５と指示部露出部２１との間からの光漏れを低減することができる。
【００１６】
また、導光板４内に導入された両ランプ２からの光は、反射面７により反射されて、指針基部１４内に入射する。この入射光は、反射面１７により反射されて指針基部１４の内部を通り指示部１５内に入射する。このため、指示部１５内に入射した光が指示部１５の内部を照射し指示部１５を発光させる。
【００１７】
指針基部１４には、指示部１５を突出して設けた側とは反対側に、延出片２３を備えている。この延出片２３はその中程に段差部２４を備えている。延出片２３の端部には凹んだ第１の係止部２５が形成されている。なお、延出片２３に段差部２４を設けたことにより、延出片２３が撓みやすくなり、キャップ１３を指針本体１２に組みつけるの作業性が向上する。
【００１８】
キャップ１３には、延出片２３の第１の係止部２５を係止する爪状の第２の係止部２６を開口の近傍に備えている。なお、指針基部１４から、突出している４つの突出片２７は、キャップ１３内に当接し、指針本体１２とキャップ１３の位置を決めるものであり、２８は発光指針１０の錘である。
【００１９】
このように構成した第１実施例において、キャップ１３の指針本体１２に対する組み付けは、次のようにして行う。まず、キャップ１３を指示部１５の指針基部１４の上方に保持し、キャップ１３の指示部露出部２１内に指示部１５をその先端側を下方から挿入する。次いで、キャップ１３により指針基部１４を上方から覆う。そして、キャップ１３の第２の係止部２６に延出片２３の第１の係止部２５を係止する。これにより、キャップ１３の指針本体１２に対する組み付けが完了する。このように、指示部１５の側面１９をキャップ１３の指示部露出部２１の側辺２２で保持し、指針本体１２の第１の係止部２５にキャップ１３の第２の係止部２６を係止することにより、キャップ１３を指針本体１２に取り付け固定するので、キャップ１３の指針本体１２に対する組み付けが容易に行える。
【００２０】
次に本発明の第２実施例を図４を用いて説明する。この実施例では、指示部１５の断面形状は、指示部１５の下面１８と上面２０と中程の部分の幅が一番大きくなるように形成されている。このため、側面１９は、幅の一番大きい部分を境にして上側の側面１９ａと下側の側面１９ｂとを備えている。上側の側面１９ａは上方に向かって指示部１５の幅が狭まるように形成されており、また、下側の側面１９ｂは下方に向かって指示部１５の幅が狭まるように形成されている。
【００２１】
キャップ１３の指示部露出部２１の形状も指示部１５の形状に合致するように形成されているので、指示部１５の上側の側面１９ａに対応する側辺２２ｂは、上方に向かって指示部露出部２１の幅が狭まるように形成されており、また、指示部１５の下側の側面１９ｂに対応する側辺２２ｃは、下方に向かって指示部露出部２１の幅が狭まるように形成されている。また、側辺２２ｃ下側の側面１９ｂに当接しない側辺２２ｄ部分は、さらに、内側に向いて傾斜している。
【００２２】
以上の構成の第２実施例においても、第１実施例と同様の作用効果を得るものである。
【００２３】
なお、第１，第２実施例は、ともに、指示部露出部２１はキャップ１３の開口から切り欠いた形状であったが、前記実施例及び変形例に限定限定されるものではなく、指示部露出部２１として貫通する孔を形成してもよい。
【００２４】
次に本発明の第３実施例を図５から図７を用いて説明する。この実施例は、指示部１５の上面２０がボス部１６上を通過する発光指針１０である。指示部１５は、その断面形状が台形状であり、図中、下方にいくに従い指示部１５の幅が狭まるように形成されている。指示部１５の側面１９は湾曲せずに平面である。なお、指示部１５の上面２０も平面である。
【００２５】
キャップ２９は、指針本体１２の指針基部１４に組み付けられているもので、このキャップ２９は、指針本体１２の指針基部１４を上方から覆う形状にて、ＡＢＳなどの合成樹脂材料により形成されている。
【００２６】
このキャップ２９の周壁から上面にかけて、指示部露出部２１が切り欠き形成されており、周壁部分の指示部露出部２１は指示部１５に対応するように形成されており、この指示部露出部２１の指示部１５の側面１９に対応する左右の側辺２２ｅは、指示部１５の側面１９に当接する。指示部１５の側面１９が平面であるので、側辺２２ｅも直線状に形成されている。なお、側辺２２ｅ下側の側面１９に当接しない側辺２２ｆ部分は、さらに、内側に向いて傾斜している。指示部露出部２１の側辺２２ｅ間には、指示部１５の側面１９が略合致する。また、指示部１５やキャップ１３の公差により側辺２２ｅ間で指示部１５を挟んで支持できなかった場合は、内側に絞り込まれた側辺２２ｆ間で指示部１５の下面１８を支持することができる。よって、指示部１５の側面１９と、キャップ１３の指示部露出部２１との間には、隙間を略なくすことができ、あるいは、間隙を小さくでき、指示部１５と指示部露出部２１との間からの光漏れを低減することができる。
【００２７】
また、キャップ２９には、突起状の第２の係止部３０が形成されている。指示部１５の後端のキャップ２９で隠される部分には、突起３０を係止する凹んだ第１の係止部３１を備えている。
【００２８】
このように構成した第３実施例において、キャップ２９の指針本体１２に対する組み付けは、次のようにして行う。まず、キャップ２９を指示部１５の指針基部１４の上方に保持し、キャップ１３の指示部露出部２１に指示部１５の後端側を下方から挿入する。次いで、指示部１５先端側を下方に下げ、指示部１５の側面１９を側辺２２ｅ間に配置する。そして、キャップ２９の受け部３１に突起３０を係止する。これにより、キャップ２９の指針本体１２に対する組み付けが完了する。このように、指示部１５の側面１９をキャップ２９の指示部露出部２１の側辺２２ｅで保持し、指針本体１２の突起３０をキャップ２９の受け部３１で係止することにより、キャップ２９を指針本体１２に取り付け固定するので、キャップ２９の指針本体１２に対する組み付けが容易に行える。
【００２９】
本実施例の場合、指示部露出部２１が、前記各実施例に比べて大きいけれども、前記各実施例と同様な作用効果を得ることができる。
【００３０】
【発明の効果】
以上、本発明により、初期の目的を達成することができ、指示部や凹部の係止部の寸法精度を高めなくとも、がたつかない発光指針を提供することができる。
【図面の簡単な説明】
【図１】本発明の第１実施例を示す断面図である。
【図２】同実施例を指示部側から見た側面図である。
【図３】同実施例の指針本体の上面図である。
【図４】本発明の第２実施例を指示部側から見た側面図である。
【図５】本発明の第３実施例を示す断面図である。
【図６】同実施例を指示部側から見た側面図である。
【図７】同実施例の上面図である。
【符号の説明】
１０        発光指針
１２        指針本体
１３，２９  キャップ
１４        指針基部
１５        指示部
１９        側面
１９ａ      上側の側面
１９ｂ      下側の側面
２１        指示部露出部
２２，２２ａ，２２ｂ，２２ｃ，２２ｄ，２２ｅ，２２ｆ    側辺
２５，３１  第１の係止部
２６，３０  第２の係止部
【図１】
0003702453.tif 000002
【図２】
0003702453.tif 000003
【図３】
0003702453.tif 000004
【図４】
0003702453.tif 000005
【図５】
0003702453.tif 000006
【図６】
0003702453.tif 000007
【図７】
0003702453.tif 000008